(57)【特許請求の範囲】
【請求項１】
巻心に巻き回された粘着テープの両側面の一部を挟み込んで幅方向の移動を規制しつつ、該粘着テープの基材面が巻き掛けられてその自由端を繰り出す第１ガイドローラと、
該第１ガイドローラにより繰り出された粘着テープの基材面が巻き掛けられる第２ガイドローラと、
前記第１ガイドローラと第２ガイドローラとの間に張り渡される粘着テープの一端部が張り出すように、該粘着テープの粘着面が巻き掛けられ、その張出部分を粘着面方向に折り曲げる折曲ローラと、
該折曲ローラにより折り曲げられた粘着テープの張出部分と接触し、該張出部分を粘着面方向にさらに折り曲げて、粘着面同士が貼り合わされた折返部を形成する折返ガイドと、
粘着テープディスペンサーの溝部に嵌合可能な軸部材と、
該軸部材と前記第１ガイドローラとの間に介装され、前記粘着テープを該第１ガイドローラ方向に付勢する付勢部材と、
を含んで構成されたことを特徴とする粘着テープの折返部形成装置。
【請求項２】
前記折曲ローラは、その軸方向に移動可能に構成されていることを特徴とする請求項１記載の粘着テープの折返部形成装置。
【請求項３】
前記第１ガイドローラは、前記粘着テープの挟み込み幅が変更可能に構成されていることを特徴とする請求項１又は請求項２記載の粘着テープの折返部形成装置。
【請求項４】
巻心に巻き回された粘着テープの両側面の一部を挟み込んで幅方向の移動を規制しつつ、該粘着テープの基材面が巻き掛けられてその自由端を繰り出す第１ガイドローラと、
該第１ガイドローラにより繰り出された粘着テープの基材面が巻き掛けられる第２ガイドローラと、
前記第１ガイドローラと第２ガイドローラとの間に張り渡される粘着テープの両端部が張り出すように、該粘着テープの粘着面が巻き掛けられ、その各張出部分を粘着面方向に折り曲げる折曲ローラと、
該折曲ローラにより折り曲げられた粘着テープの各張出部分と接触し、該張出部分を粘着面方向にさらに折り曲げて、粘着面同士が貼り合わされた折返部を形成する折返ガイドと、
粘着テープディスペンサーの溝部に嵌合可能な軸部材と、
該軸部材と前記第１ガイドローラとの間に介装され、前記粘着テープを該第１ガイドローラ方向に付勢する付勢部材と、
を含んで構成されたことを特徴とする粘着テープの折返部形成装置。
【請求項５】
前記第１ガイドローラ，第２ガイドローラ及び折曲ローラは、夫々、回転自由に構成されていることを特徴とする請求項１〜請求項４のいずれか１つに記載の粘着テープの折返部形成装置。
【請求項６】
前記折曲ガイドには、前記粘着テープとの接触面積を小とする隆起部がその周方向に複数形成されたことを特徴とする請求項１〜請求項５のいずれか１つに記載の粘着テープの折返部形成装置。
【請求項７】
前記折返ガイドは、着脱自由又は回動自由に構成されていることを特徴とする請求項１〜請求項６のいずれか１つに記載の粘着テープの折返部形成装置。
【請求項８】
前記折返ガイドには、前記第１ガイドローラと折曲ローラとの間で粘着テープの基材面と接触して、しわを伸ばす補助ガイドが付設されていることを特徴とする請求項１〜請求項７のいずれか１つに記載の粘着テープの折返部形成装置。
【請求項９】
前記第２ガイドローラから繰り出された粘着テープを切断するカッタが備えられていることを特徴とする請求項１〜請求項８のいずれか１つに記載の粘着テープの折返部形成装置。
【請求項１０】
前記カッタは、収納可能に構成されていることを特徴とする請求項９記載の粘着テープの折返部形成装置。
【請求項１１】
前記第１ガイドローラにより繰り出された粘着テープの粘着面に対して、短冊状又は線状の挿入物を位置決めしつつ供給する挿入物ガイドが備えられたことを特徴とする請求項１〜請求項１０記載の粘着テープの折返部形成装置。
【請求項１２】
前記挿入物ガイドは、前記挿入物の供給位置から移動可能に構成されていることを特徴とする請求項１１記載の粘着テープの折返部形成装置。
【発明の詳細な説明】
【０００１】
【発明の属する技術分野】
本発明は、被接着物からの粘着テープの剥離を容易にする技術に関する。
【０００２】
【従来の技術】
花束の外装に使用されるセロファン，窓ガラスやショーケース等のガラス面，ダンボールその他の被接着物に貼り付けられた粘着テープは、被接着物に密着しているため、その端を見つけることが非常に困難であり、剥離し難いという問題があった。このため、特開２０００−２７２６０９号公報などに開示されるように、粘着テープの先端部を折り返して接着に寄与しない折返部を形成し、被接着物からの剥離を容易にした技術が提案されている。
【０００３】
【発明が解決しようとする課題】
しかしながら、粘着テープの先端部を折り返すには、先端部を何らかの手段で把持しつつ折り返す複雑な機構が不可欠であり、大型かつ高価な装置となっていた。このため、家庭や学校などで小規模に粘着テープを使用する場合には、従来技術による恩恵を受けることができず、相変わらず粘着テープの剥離が困難であった。また、店舗の改装工事などで高所作業を行う場合にも、従来の装置は使用できず、作業効率があまり良好ではなかった。
【０００４】
そこで、本発明は以上のような従来の問題点に鑑み、簡単かつコンパクトな機構により粘着テープの幅方向の少なくとも一端部を折り返すことで、小規模又は高所での使用を可能としつつ、被接着物からの剥離を容易にした粘着テープの折返部形成装置を提供することを目的とする。
【０００５】
【課題を解決するための手段】
このため、請求項１記載の発明では、巻心に巻き回された粘着テープの両側面の一部を挟み込んで幅方向の移動を規制しつつ、該粘着テープの基材面が巻き掛けられてその自由端を繰り出す第１ガイドローラと、該第１ガイドローラにより繰り出された粘着テープの基材面が巻き掛けられる第２ガイドローラと、前記第１ガイドローラと第２ガイドローラとの間に張り渡される粘着テープの一端部が張り出すように、該粘着テープの粘着面が巻き掛けられ、その張出部分を粘着面方向に折り曲げる折曲ローラと、該折曲ローラにより折り曲げられた粘着テープの張出部分と接触し、該張出部分を粘着面方向にさらに折り曲げて、粘着面同士が貼り合わされた折返部を形成する折返ガイドと、粘着テープディスペンサーの溝部に嵌合可能な軸部材と、該軸部材と前記第１ガイドローラとの間に介装され、前記粘着テープを該第１ガイドローラ方向に付勢する付勢部材と、を含んで粘着テープの折返部形成装置を構成したことを特徴とする。
【０００６】
かかる構成によれば、巻心に巻き回された粘着テープは、その基材面が第１ガイドローラに巻き掛けられて自由端が繰り出され、第２ガイドローラへと導かれる。第１ガイドローラと第２ガイドローラとの間に張り渡された粘着テープは、その一端部が張り出すように粘着面が折曲ローラに巻き掛けられ、張出部分が粘着面方向に折り曲げられる。折り曲げられた粘着テープの張出部分は、その自由端の繰り出しに伴って、折返ガイドと接触して粘着面方向にさらに折り曲げられ、粘着面同士が貼り合わされた折返部が一端部に形成される。
【０００７】
このとき、粘着テープは、付勢部材により第１ガイドローラ方向に付勢されているため、その両側面の一部が第１ガイドローラに確実に挟み込まれることとなり、幅方向の移動が高精度に規制される。このため、折曲ローラに供給される粘着テープの位置精度が向上し、粘着テープの張出部分の長さが略均一となることで、折返部の幅が略一定となる。
【０００８】
また、軸部材が粘着テープディスペンサーの溝部に嵌合可能であるため、粘着テープが装着された折返部形成装置をそのままディスペンサーに取り付けることができる。このため、使用中の粘着テープの代わりに、折返部形成装置に装着された粘着テープをワンタッチで交換でき、粘着テープの繰り出し及び切断が容易となることより、その貼り付け作業に要する労力が一層軽減される。
【０００９】
請求項２記載の発明では、前記折曲ローラは、その軸方向に移動可能に構成されていることを特徴とする。
かかる構成によれば、折曲ローラをその軸方向に移動させることで、第１ガイドローラに対する折曲ローラの相対位置が変わり、粘着テープの張出部分の長さが変わる。このため、折曲ローラにより折り曲げられる粘着テープの長さが変わり、折曲部の幅を任意に変更することが可能となる。
【００１０】
請求項３記載の発明では、前記第１ガイドローラは、前記粘着テープの挟み込み幅が変更可能に構成されていることを特徴とする。
かかる構成によれば、粘着テープの挟み込み幅を変更することで、異なる幅を有する粘着テープが使用可能となり、汎用性が付与される。
請求項４記載の発明では、巻心に巻き回された粘着テープの両側面の一部を挟み込んで幅方向の移動を規制しつつ、該粘着テープの基材面が巻き掛けられてその自由端を繰り出す第１ガイドローラと、該第１ガイドローラにより繰り出された粘着テープの基材面が巻き掛けられる第２ガイドローラと、前記第１ガイドローラと第２ガイドローラとの間に張り渡される粘着テープの両端部が張り出すように、該粘着テープの粘着面が巻き掛けられ、その各張出部分を粘着面方向に折り曲げる折曲ローラと、該折曲ローラにより折り曲げられた粘着テープの各張出部分と接触し、該張出部分を粘着面方向にさらに折り曲げて、粘着面同士が貼り合わされた折返部を形成する折返ガイドと、粘着テープディスペンサーの溝部に嵌合可能な軸部材と、該軸部材と前記第１ガイドローラとの間に介装され、前記粘着テープを該第１ガイドローラ方向に付勢する付勢部材と、を含んで粘着テープの折返部形成装置を構成したことを特徴とする。
【００１１】
かかる構成によれば、巻心に巻き回された粘着テープは、その基材面が第１ガイドローラに巻き掛けられて自由端が繰り出され、第２ガイドローラへと導かれる。第１ガイドローラと第２ガイドローラとの間に張り渡された粘着テープは、その両端部が張り出すように粘着面が折曲ローラに巻き掛けられ、各張出部分が粘着面方向に折り曲げられる。折り曲げられた粘着テープの各張出部分は、その自由端の繰り出しに伴って、折返ガイドと接触して粘着面方向にさらに折り曲げられ、粘着面同士が貼り合わされた折返部が両端部に形成される。
【００１２】
このとき、粘着テープは、付勢部材により第１ガイドローラ方向に付勢されているため、その両側面の一部が第１ガイドローラに確実に挟み込まれることとなり、幅方向の移動が高精度に規制される。このため、折曲ローラに供給される粘着テープの位置精度が向上し、粘着テープの張出部分の長さが略均一となることで、折返部の幅が略一定となる。
【００１３】
また、軸部材が粘着テープディスペンサーの溝部に嵌合可能であるため、粘着テープが装着された折返部形成装置をそのままディスペンサーに取り付けることができる。このため、粘着テープの繰り出し及び切断が容易となり、その貼り付け作業に要する労力が一層軽減される。
請求項５記載の発明では、前記第１ガイドローラ，第２ガイドローラ及び折曲ローラは、夫々、回転自由に構成されていることを特徴とする。
【００１４】
かかる構成によれば、第１ガイドローラ，第２ガイドローラ及び折曲ローラが夫々回転自由に構成されていることで、粘着テープの繰り出しにおける接触抵抗が低減される。
請求項６記載の発明では、前記折曲ガイドには、前記粘着テープとの接触面積を小とする隆起部がその周方向に複数形成されたことを特徴とする。
【００１５】
かかる構成によれば、折曲ガイドに粘着テープとの接触面積を小とする隆起部がその周方向に複数形成されていることで、粘着テープとの接着力が低下し、粘着テープの繰り出しに要する力が低減される。
請求項７記載の発明では、前記折返ガイドは、着脱自由又は回動自由に構成されていることを特徴とする。
【００１６】
かかる構成によれば、折返部形成装置に粘着テープを着脱するときには、折返ガイドを着脱又は回動させることで、折返ガイドが邪魔になることがなく、粘着テープの着脱が容易に行われる。
請求項８記載の発明では、前記折返ガイドには、前記第１ガイドローラと折曲ローラとの間で粘着テープの基材面と接触して、しわを伸ばす補助ガイドが付設されていることを特徴とする。
【００１７】
かかる構成によれば、粘着テープの折返部の幅が広いときであっても、補助ガイドにより粘着テープのしわが伸ばされるので、折返部にしわが発生することが抑制される。
請求項９記載の発明では、前記第２ガイドローラから繰り出された粘着テープを切断するカッタが備えられていることを特徴とする。
【００１８】
かかる構成によれば、折返部形成装置を単独で使用するときであっても、カッタにより粘着テープの切断を容易に行うことができ、粘着テープの貼付作業効率が向上される。
請求項１０記載の発明では、前記カッタは、収納可能に構成されていることを特徴とする。
【００１９】
かかる構成によれば、折返部形成装置を粘着テープディスペンサーに取り付けるときには、カッタを収納するようにすれば、カッタに指などが触れることがなくなり、安全性が向上する。
請求項１１記載の発明では、前記第１ガイドローラにより繰り出された粘着テープの粘着面に対して、短冊状又は線状の挿入物を位置決めしつつ供給する挿入物ガイドが備えられたことを特徴とする。
【００２０】
かかる構成によれば、粘着テープの粘着面に対して挿入物を位置決めしつつ供給することで、折返部に挿入物を挿入することが可能となり、ユーザの多様な要望に対応可能となる。この場合、折返部に挿入された挿入物は、外部雰囲気から遮断されるため、例えば、水分が付着しても文字が滲んだりすることが防止される。
【００２１】
請求項１２記載の発明では、前記挿入物ガイドは、前記挿入物の供給位置から移動可能に構成されていることを特徴とする。
かかる構成によれば、折返部形成装置に粘着テープを着脱するときに、挿入物ガイドを挿入物の供給位置から移動させることで、挿入物ガイドが邪魔になることなく、粘着テープの着脱が容易に行われる。
【００２２】
【発明の実施の形態】
以下、添付された図面を参照して本発明を詳述する。
図１は、本発明の基本原理を示す。
２つのガイドローラＡ，Ｂ間に配設された折曲ローラＣに、その一端部から所定寸法張り出すように、巻心に巻き回された粘着テープＤの粘着面が巻き掛けられる。この状態で、粘着テープＤの自由端を繰り出し、２つのガイドローラＡ，Ｂにより粘着テープＤに張力を発生させると、粘着テープＤが折曲ローラＣ方向に押し付けられる。すると、折曲ローラＣから張り出した粘着テープＤの張出部分は、折曲ローラＣの角部により粘着面方向に折り曲げられる。そして、粘着テープＤの自由端を繰り出す力を利用して、折り曲げられた粘着テープＤの張出部分と接触する折返ガイドＥにより、粘着テープＤをさらに折り曲げるようにすれば、粘着面同士が貼り合わされ、同図（Ｂ）に示すように、その幅方向の一端部に接着に寄与しない折返部ｄが形成される。この場合、被接着物から粘着テープＤを剥離するときには、折返部ｄによりその端が容易に見つかるので、粘着テープＤを容易に剥離することができるようになる。
【００２３】
次に、かかる基本原理を利用して、粘着テープの幅方向の一端部に折返部を形成する粘着テープの折返部形成装置（以下「折返部形成装置」という）の基本構成について説明する。
図２に示すように、略矩形形状の薄板からなる基体部材１０には、その板厚方向に延びる軸部材１２，第１ガイドローラ１４及び第２ガイドローラ１６が略一直線上に夫々固定される。軸部材１２は、粘着テープのディスペンサーの溝部に嵌合可能な円柱形状をなし、その一端部が基体部材１０の裏面（図示しない面）から所定寸法突出するように貫通固定される。第１ガイドローラ１４は、巻心に巻き回された粘着テープの両側面の一部を狭持するように、中間部に小径部１４ａが形成された段付円柱形状をなし、軸部材１２から所定寸法（粘着テープの半径より短い寸法）離れた位置に固定される。第２ガイドローラ１６は、所定寸法の貫通孔１６ａが形成された円筒形状をなし、第１ガイドローラ１４を挟んで軸部材１２と反対側に固定される。
【００２４】
また、第１ガイドローラ１４と第２ガイドローラ１６との間であって、これらを結んだ線分から所定寸法ずれた位置には、基体部材１０の板厚方向に延びる折曲ローラ１８が固定される。折曲ローラ１８は、円柱形状をなし、望ましくは、粘着テープとの接着力を低下させるために、図３に示すように、粘着テープとの接触面積を小とする隆起部１８ａがその周方向に複数形成される。折曲ローラ１８は、ここに粘着テープが巻き掛けられたときに、その先端部から折返部の幅に相当する長さだけ張り出すように、その全長が決められる。
【００２５】
さらに、第２ガイドローラ１６の貫通孔１６ａには、折曲ローラ１８により折り曲げられた粘着テープの張出部分と接触し、粘着テープをさらに折り曲げて粘着面同士を貼り合わせる折返ガイド２０が着脱自由に嵌合固定される。折返ガイド２０は、第２ガイドローラ１６の貫通孔１６ａに嵌合される軸部２０ａと、粘着テープを折り曲げるガイドを有するガイド板部２０ｂと、を含んで構成される。軸部２０ａの先端部近傍には、所定幅を有する周溝２０ｃが形成される。ガイド板部２０ｂは、その先端部が第１ガイドローラ１４に当接して位置決めされることで、基端部近傍の一面がガイドとして機能する。一方、第２ガイドローラ１６が固定された基体部材１０の裏面には、ここに折返ガイド２０の軸部２０ａが嵌合されたときに、その先端部近傍に形成された周溝２０ｃに嵌合する、弾性材料からなるストッパ２８（図６（Ａ）参照）が取り付けられる。そして、軸部２０ａの先端部を基体部材１０方向に押圧すると、ストッパ２８が弾性変形して周溝２０ｃから外れ、第２ガイドローラ１６から折返ガイド２０が取り外される。
【００２６】
その他、軸部材１２と第１ガイドローラ１４との間には、粘着テープを第１ガイドローラ１４方向に付勢する付勢部材２２が取り付けられる。付勢部材２２は、所定幅を有する円環形状の弾性材料からなり、基体部材１０に固定された係止部材２４により、基体部材１０から容易に外れないようになっている。ここで、付勢部材２２には、軸部材１２に巻き回されて固定する係止部（図示せず）を設けるようにしてもよい。
【００２７】
なお、第１ガイドローラ１４，第２ガイドローラ１６及び折曲ローラ１８は、基体部材１０に回転自由に固定されるようにしてもよい。この場合には、粘着テープの繰り出しにおける接触抵抗が低減され、粘着テープを少ない力でもって繰り出すことができるようになる。
折返部形成装置に粘着テープを装着するには、基体部材１０から折返ガイド２０を取り外した後、図４に示すように、付勢部材２２を軸部材１２方向に押し付けて変形させ、付勢部材２２と第１ガイドローラ１４との間に粘着テープ２６を嵌め込む。このとき、粘着テープ２６の両側面の一部は、第１ガイドローラ１４により狭持されるので、その軸方向の動きが規制されることとなる。そして、付勢部材２２の押し付けを中止すると、その付勢力により粘着テープ２６が第１ガイドローラ１４方向に付勢され、軸部材１２と粘着テープ２６とが略同心状態で保持される。
【００２８】
粘着テープ２６の装着が完了したら、粘着テープ２６の自由端を繰り出し、図５に示すように、その基材面を第１ガイドローラ１４に巻き掛けつつ、折曲ローラ１８へと導く。そして、粘着テープ２６の粘着面を折曲ローラ１８に略半周巻き掛けた後、折曲ローラ１８の先端部から張り出した粘着テープ２６を折り返しつつ、その基材面を第２ガイドローラ１６に巻き掛けて繰り出す。その後、第２ガイドローラ１６の貫通孔１６ａに折返ガイド２０の軸部２０ａを嵌合させ、図６に示すように、そのガイド板部２０ｂの先端部を第１ガイドローラ１４の外周面に当接させて位置決めを行う。
【００２９】
粘着テープの折返部を形成するには、基体部材１０を保持固定した状態で、粘着テープ２６の自由端を折返部形成装置から離れる方向に繰り出す。すると、粘着テープ２６の引張力に応じた力でもって、その粘着面が折曲ローラ１８方向に押し付けられ、折曲ローラ１８から張り出した粘着テープ２６の張出部分が粘着面方向に折り曲げられる。そして、自由端の繰り出しに伴って粘着テープ２６が移動すると、折り曲げられた張出部分が折返ガイド２０によりさらに折り曲げられ、粘着面同士が貼り合わされた折返部２６ａが連続的に形成される。このとき、第１ガイドローラ１４により粘着テープ２６の軸方向の移動が規制されているため、折返部２６ａの幅を略一定のものとすることができる。
【００３０】
従って、粘着テープ２６の折返部２６ａは、その自由端を繰り出す力を利用して、主として、折曲ローラ１８と折返ガイド２０とによって形成されるため、動力源が不要な堅牢かつコンパクトな折返部形成装置とすることができる。このため、店舗の改装工事などで高所作業を行う場合や、家庭や学校などで小規模に粘着テープを利用する場合であっても、幅方向の一端部に接着に寄与しない折返部２６ａが形成された粘着テープ２６を使用することができ、被接着物から粘着テープ２６を容易に剥離させることができる。
【００３１】
また、軸部材１２が粘着テープディスペンサー３０の溝部３０ａに嵌合可能であるため、図７に示すように、粘着テープ２６が装着された折返部形成装置をそのままディスペンサー３０に取り付けることができる。このため、粘着テープ２６の繰り出し及び切断が容易となり、その貼り付け作業に要する労力を一層軽減させることができる。
【００３２】
なお、粘着テープ２６の折返部２６ａの幅が狭い場合には、図８に示すように、折返ガイド２０は、折曲ローラ１８により折り曲げられた粘着テープ２６の張出部分のみと接触する簡単な形状としてもよい。一方、折返部２６ａの幅が広い場合には、折曲ローラ１８により折り曲げられた粘着テープ２６の張出部分にしわが発生し易くなる。このため、図９に示すように、折曲ガイド２０に、第１ガイドローラ１４と折曲ローラ１８との間で粘着テープ２６の基材面と接触して、しわを伸ばす補助ガイド２０ｄを追加形成することが望ましい。
【００３３】
ここで、粘着テープの一端部に折返部を形成する折返部形成装置に特有の各種応用構成について説明する。
図１０は、粘着テープ２６の折返部２６ａの幅を可変とする機構の一例を示す。
基体部材１０と略平行に配設される薄板からなる可動部材３２には、前述した折曲ローラ１８及び第２ガイドローラ１６に加えて、その板厚方向に延びる２つのガイド軸３４，３６の基端部が固定される。また、可動部材３２の折曲ローラ１８と第２ガイドローラ１６との間には、後述する螺子１０ｅが貫通する貫通孔３２ａが形成される。一方、基体部材１０には、可動部材３２に固定された折曲ローラ１８，第２ガイドローラ１６及び２つのガイド軸３４，３６が貫通する貫通孔１０ａ〜１０ｄが夫々形成される。また、可動部材３２の貫通孔３２ａに対応した位置の基体部材１０には、可動部材３２方向に延びる螺子１０ｅの基端部（頭部）が固定される。
【００３４】
そして、螺子１０ｅに円筒形状のナット３８を螺合させた状態で、その先端部を可動部材３２の貫通孔３２ａから突出させ、ここに円筒形状のナット４０を螺合させる。このとき、可動部材３２に固定された折曲ローラ１８，第２ガイドローラ１６及び２つのガイド軸３４，３６は、基体部材１０の貫通孔１０ａ〜１０ｄを夫々貫通し、その表面から突出する。なお、円筒形状のナット３８，４０の外周には、ローレット加工などを施して滑り止めが形成されることが望ましい。
【００３５】
折返部２６ａの幅を変えるには、螺子１０ｅに螺合された２つのナット３８，４０を弛め、基体部材１０に対して可動部材３２を所望の位置に移動させた後、２つのナット３８，４０により可動部材３２を挟み込んで、その位置を固定させる。このようにすれば、基体部材１０の表面から突出する折曲ローラ１８の長さを変えることができ、その先端部から張り出る粘着テープ２６の張出部分の長さが変わり、折返部２６ａの幅を変えることができる。なお、２つのガイド軸３４，３６は、必須の構成ではない。
【００３６】
折返部２６ａの幅を変える構成では、折返ガイド２０は、補助ガイド２０ｄを備えたものとすることが望ましい。この場合、折返部２６ａの幅が狭い場合には、補助ガイド２０ｄが粘着テープ２６に接触しないように、その形成位置を決定するようにすればよい。
図１１は、幅が異なる粘着テープの使用を可能とするため、その幅に合わせて第１ガイドローラ１４の小径部１４ａの長さを可変とする第１実施例を示す。
【００３７】
第１ガイドローラ１４は、軸部４２ａと、第１大径円筒部４２ｂと、第２大径円筒部４２ｃと、小径円筒部４２ｄと、スペーサ４２ｅと、を含んで構成される。即ち、基体部材１０の表面には、螺子，加締め又は溶接などにより軸部４２ａの基端部が固定される。第１大径円筒部４２ａは、フェライト磁石，希土類磁石などの磁性材料からなり、その一端面が基体部材１０に当接するように軸部４２ａに嵌合される。小径円筒部４２ｄは、その一端面が第１大径円筒部４２ｂに当接するように、軸部４２ａに回転自由に嵌合される。第２大径円筒部４２ｃは、その一端面が小径円筒部４２ｄの他端面に当接するように、軸部４２ａに嵌合される。そして、軸部４２ａから第１大径円筒部４２ｂ，小径円筒部４２ｄ及び第２大径円筒部４２ｃが外れないように、その先端部に螺子４２ｆが螺合される。一方、スペーサ４２ｅは、磁力により吸い寄せられる鉄，ニッケルなどの金属材料からなり、その外径が第１大径円筒部４２ｂと略等しく、また、その内径が小径円筒部４２ｄに着脱可能に嵌合可能な寸法に形成される。なお、スペーサ４２ｅは、市販の粘着テープの幅に合わせて、その全長が異なるものが複数用意される。
【００３８】
第１ガイドローラ１４の小径部１４ａの長さを変えるには、軸部４２ａの先端部に螺合された螺子４２ｆを取り外し、軸部４２ａから第２大径円筒部４２ｃを取り外す。そして、使用する粘着テープの幅に応じたスペーサ４２ｅを選択し、これを小径円筒部４２ｄに嵌合させ、第１大径円筒部４２ｂ方向に移動させる。すると、第１大径円筒部４２ｂの磁力によりスペーサ４２ｅが吸い寄せられ、第１大径円筒部４２ｂとスペーサ４２ｅとが一体化される。その後、第２大径円筒部４２ｃを軸部４２ａに嵌合させた後、軸部４２ａの先端部に螺子４２ｆを螺合させる。なお、スペーサ４２ｅは、粘着テープの幅に合わせて、複数用いてもよい。
【００３９】
図１２は、第１ガイドローラ１４の小径部１４ａの長さを可変とする第２実施例を示す。
第１ガイドローラ１４は、軸部４４ａと、２つの大径円筒部４４ｂと、小径円筒部４４ｃと、２つの圧縮コイルばね４４ｄと、止め螺子４４ｅと、を含んで構成される。即ち、基体部材１０の表面には、市販の粘着テープの幅に応じた複数位置に周溝４４ｆが形成された軸部４４ａの基端部が加締めにより固定される。軸部４４ａには、大径円筒部４４ｂ，圧縮コイルばね４４ｄ，小径円筒部４４ｃ，圧縮コイルばね４４ｄ及び大径円筒部４４ｂがこの順序で嵌合される。そして、軸部４４ａから大径円筒部４４ｂ，圧縮コイルばね４４ｄ及び小径円筒部４４ｃが外れないように、軸部４４ａの先端部が加締められる。また、基体部材１０に最も近い位置に嵌合される大径円筒部４４ｂは、その周壁に雌螺子４４ｇが形成され、ここに螺合された止め螺子４４ｅの先端部が軸部４４ａの周溝４４ｆに嵌合することで、軸部４４ａに対して固定される。
【００４０】
第１ガイドローラ１４の小径部１４ａの長さを変えるには、大径円筒部４４ｂの止め螺子４４ｅを弛め、圧縮コイルばね４４ｄの付勢力に抗して大径円筒部４４ｂを移動させる。そして、使用する粘着テープの幅に応じた位置まで大径円筒部４４ｂを移動させたら、その位置で止め螺子４４ｅを締め込み、その先端部を周溝４４ｆに嵌合させる。このとき、小径円筒部４４ｃは、圧縮コイルばね４４ｄにより、２つの大径円筒部４４ｂの略中央に位置するため、粘着テープの繰り出しが円滑に行われる。
【００４１】
なお、軸部４４ａに周溝４４ｆを形成する代わりに、同図（Ｃ）に示すように、その軸方向及び粘着テープの幅に応じた複数位置で周方向に延びる溝４４ｈを形成するようにしてもよい。そして、基体部材１０に最も近い位置に嵌合される大径円筒部４４ｂの雌螺子４４ｇには、同図（Ｄ）に示すように、ピン４４ｉ及びこれを溝４４ｈ方向に付勢する圧縮コイルばね４４ｊが摺動自由に嵌合された止め螺子４４ｋが螺合される。ピン４４ｉ及び圧縮コイルばね４４ｊは、止め螺子４４ｋと容易に分離できないように一体化されていてもよい。
【００４２】
第１ガイドローラ１４の小径部１４ａの長さを変えるには、大径部４４ｂを回動させて軸部４４ａの軸方向に摺動可能とし、圧縮コイルばね４４ｄの付勢力に抗して大径部４４ｂを移動させる。そして、使用する粘着テープの幅に応じた位置まで大径円筒部４４ｂを移動させたら、その位置で大径円筒部４４ｂを回動させて固定する。なお、軸部４４ａの溝４４ｈは、粘着テープの回転によりその固定が解除されない方向に形成されることが望ましい。
【００４３】
図１３は、第１ガイドローラ１４の小径部１４ａの長さを可変とする第３実施例を示す。
第１ガイドローラ１４は、軸部４６ａと、２つの大径円筒部４６ｂと、２つの小径円筒部４６ｃと、圧縮コイルばね４６ｄと、止め螺子４６ｅと、を含んで構成される。即ち、基体部材１０の表面には、加締めにより軸部４６ａの基端部が固定され、ここに大径円筒部４６ｂ，小径円筒部４６ｃ，圧縮コイルばね４６ｄ，小径円筒部４６ｃ及び大径円筒部４６ｂがこの順番で嵌合される。そして、軸部４６ａから大径円筒部４６ｂ，小径円筒部４６ｃ及び圧縮コイルばね４６ｄが外れないように、軸部４６ａの先端部が加締められる。また、基体部材１０に最も近い位置に嵌合される大径円筒部４６ｂは、その周壁に雌螺子が形成され、ここに螺合された止め螺子４６ｅの先端部により、軸部４６ａに対して固定される。
【００４４】
第１ガイドローラ１４の小径部１４ａの長さを変えるには、大径円筒部４６ｂの止め螺子４６ｅを弛め、圧縮コイルばね４６ｄの付勢力に抗して大径円筒部４６ｂを移動させる。そして、使用する粘着テープの幅に応じた位置まで大径円筒部４６ｂを移動させたら、その位置で止め螺子４６ｅを締め込んで固定させる。なお、軸部４６ａには、図１２に示す第２実施例のように、市販の粘着テープの幅に応じた複数位置に周溝を形成するようにしてもよい。
【００４５】
このようにすれば、第１ガイドローラ１４の小径部１４ａの長さを粘着テープの幅に合わせることができ、異なる幅を有する市販の粘着テープを使用することができるようになる。
次に、図１に示す基本原理を利用して、粘着テープの幅方向の両側部に折返部を形成する折返部形成装置の基本構成について説明する。なお、以下の説明では、先の折返部形成装置と相違する構成についてのみ説明することとする。
【００４６】
折曲ローラ４８は、図１４に示すように、粘着テープ２６と略直交する方向に円を引き伸ばした長円形状をなし、基体部材１０に固定された取付部材４８ａに偏心した状態で固定される。即ち、略平行に配設された２つの円柱部材４８ｂには、夫々、所定幅を有する周溝４８ｃが外周中央部に形成されたローラ部材４８ｄが回転自由に嵌合され、これらの間に弾性変形可能な回転ベルト４８ｅが巻き回される。２つの円柱部材４８ｂの両端部には、夫々、その間隔を保持すべく、薄板からなる長円形状の連結部材４８ｆが３つの螺子４８ｇにより固定される。そして、螺子４８ｇが螺合されていない連結部材４８ｆ及び円柱部材４８ｂは、基体部材１０に固定された取付部材４８ａの先端部に形成された雄螺子４８ｈが螺合される。ここで、回転ベルト４８ｅの内周には、ローラ部材４８ｄに対する横ずれを防止すべく、同図（Ｃ）に示すように、ローラ部材４８ｄの周溝４８ｃに嵌合する突起部４８ｉが形成される。
【００４７】
このようにすれば、回転ベルト４８ｅに粘着面が巻き掛けられる粘着テープ２６は、取付部材４８ａに邪魔されることなく、その両端部を折り曲げることができるようになる。このとき、回転ベルト４８ｅが回転するため、粘着テープ２６の移動抵抗が低減され、粘着テープ２６を少ない力で繰り出すことができる。なお、回転ベルト４８ｅの外周面には、粘着テープ２６との粘着力を低減させるために、接触面積を小とする突起部を複数形成することが望ましい。また、折曲ローラ４８は、長円形状に回転する回転ベルト４８ｅに限らず、固定した一体物から構成するようにしてもよい。
【００４８】
折曲ローラ４８により両端部が折り曲げられた粘着テープ２６は、図１５に示す折返ガイド５０によりさらに折り曲げられ、粘着面同士が貼り合わされて折返部２６ａが両端部に形成される。即ち、折返ガイド５０は、第２ガイドローラ１６の基端部に回動自由に固定される第１ガイド部材５０ａと、第２ガイドローラ１６の貫通孔１６ａに着脱自由に嵌合固定される第２ガイド部材５０ｂと、を含んで構成される。第１ガイド部材５０ａ及び第２ガイド部材５０ｂは、粘着テープ２６を折り曲げるガイドが一部に形成され、その先端部が第１ガイドローラ１４の外周面に当接して位置決めが行われる。第１ガイド部材５０ａを回動可能とするためには、同図（Ｃ）に示すように、第２ガイドローラ１６の基端部を２段階に変化する段付形状に形成し、その大径部１６ｂに第１ガイド部材５０ａ及びスプリングワッシャ５２を嵌合させた後、その小径部１６ｃを基体部材１０に加締めにより固定すればよい。
【００４９】
このようにすれば、折返部形成装置に粘着テープを装着するとき、第１ガイド部材５０ａを回動させると共に、第２ガイド部材５０ｂを取り外すことで、粘着テープの装着を容易に行うことができる。そして、両端部に折返部２６ａが形成された粘着テープ２６は、一端部に折返部２６ａが形成された粘着テープ２６よりもその端を見つけることが容易であり、被接着物からの剥離が一層容易になる。
【００５０】
次に、粘着テープの両端部又は一端部に折返部を形成する折返部形成装置に共通の各種応用構成について説明する。
図１６は、粘着テープの貼付作業効率を向上させるために、基体部材１０に粘着テープ２６のカッタ５４を取り付けた構成を示す。カッタ５４は、粘着テープディスペンサー３０への取付時には不要となるため、安全性の観点から、同図（Ｂ）に示すように、収納状態と使用状態とを簡単に切り換えられるように構成される。
【００５１】
即ち、基体部材１０の表面には、同図（Ｃ）に示すように、略正方形の陥凹部１０ｆが形成される。陥凹部１０ｆの略中央には、基体部材１０の板厚方向に延びる軸部５４ａの基端部が、螺子５４ｂにより固定される。軸部５４ａには、陥凹部１０ｆに嵌合可能であって、その一面に歯部５４ｃが形成された角筒部５４ｄが回転自由に嵌合される。なお、角筒部５４ｄには、収納状態と使用状態との切り換えを容易にするため、指を掛ける引掛部５４ｅを設けることが望ましい。そして、角筒部５４ｄを基体部材１０方向に付勢させるべく、角筒部５４ｄから突出した軸部５４ａに、平ワッシャ５４ｆ，圧縮コイルばね５４ｇ及び平ワッシャ５４ｆがこの順番で嵌合される。また、軸部５４ａから平ワッシャ５４ｆ及び圧縮コイルばね５４ｇが外れないように、軸部５４ａの先端部に螺子５４ｈが螺合される。
【００５２】
カッタ５４を収納状態と使用状態とに切り換えるには、同図（Ｄ）に示すように、圧縮コイルばね５４ｇの付勢力に抗して、引掛部５４ｅに指を掛けて、角筒部５４ｄを基体部材１０から離れる方向に移動させつつ、軸部５４ａの回りに９０度回転させる。なお、カッタ５４を収納状態としたときに、その歯部５４ｃが第２ガイドローラ１６に対面するように、陥凹部１０ｆを形成することが望ましい。
【００５３】
さらに、基体部材１０の一端部近傍に小孔を形成し、図１７に示すように、ここに紐５６などを通して、作業者５８が折返部形成装置を首から吊り下げられるようにしてもよい。このようにすれば、粘着テープの貼り付けを行わないときには、作業者５８は両手が自由となるため、高所作業などの作業効率を向上させることができる。
【００５４】
ところで、粘着テープ２６の折返部２６ａに、図１８（Ａ）〜（Ｃ）に示すように、バーコードや文字が描かれた紙，薄い金属板，針金又は布などの挿入物６０を挿入する場合がある。特に、折返部２６ａに針金を挿入したものは、スカートなどの裏面に貼り付けることで、その形を整えるという作用がある。また、同図（Ｄ）に示すように、粘着テープを略２つ折りにした折返部２６ａに、一端部に粘着テープが剥離し易い処理が表裏に施されるとともに、その部分を切離可能にするミシン目６０ａが形成された挿入物６０を挟み込むようにしてもよい。この場合、ミシン目６０ａにより挿入物６０の一端部を切り離し、本，ノート等を挟み込むようにすれば、長さ自由のインデックス（見出し）とすることができる。そして、折返部２６ａに挿入された挿入物６０は、図１９に示すように、外部雰囲気から遮断されるため、例えば、水分が付着しても文字が滲んだりすることが防止される。
【００５５】
折返部２６ａに挿入物６０を挿入するために、基体部材１０には、図２０及び図２１に示すように、第１ガイドローラ１４により繰り出された粘着テープ２６の粘着面に対して、短冊状又は線状の挿入物６０を位置決めしつつ供給する挿入物ガイド６２が取り付けられる。
即ち、第２ガイドローラ１６近傍の基体部材１０には、その板厚方向に延びる軸部６２ａの基端部が回転自由に固定される。軸部６２ａを回転自由とするには、例えば、図２１（Ｃ）に示すように、その基端部を小径に形成し、基体部材１０の裏面から突出した小径部に平ワッシャ６４，スプリングワッシャ６６及び平ワッシャ６４をこの順番で嵌合させた後、その端部を加締めるようにすればよい。
【００５６】
軸部６２ａには、挿入物の位置決めを行う左右のガイド部材６２Ｌ，６２Ｒが嵌合固定される。左右のガイド部材６２Ｌ，６２Ｒは、夫々、軸部６２ａに摺動かつ回転自由に嵌合される円筒部６２ｂと、挿入物６０の両端部の位置決めを行う腕部６２ｃと、挿入物６０の一面と接触しつつ粘着テープ２６へと案内する案内部６２ｄと、を含んで構成される。円筒部６２ｂの周壁には、軸部６２ａへの固定を行う止め螺子６２ｅが螺合される雌螺子６２ｆが形成される。なお、左右のガイド部材６２Ｌ，６２Ｒを略同一位相にて固定できるように、軸部６２ａ外周の一部を平坦に加工することが望ましい。また、粘着テープ２６に対するガイド部材６２Ｌ，６２Ｒの位置決めを行うために、基体部材１０に円柱形状の位置決めストッパ６８が固定されると共に、ガイド部材６２Ｌ，６２Ｒの腕部６２ｃにストッパ６８と嵌合する切欠部６２ｇが形成される。
【００５７】
なお、図１０に示す粘着テープの折返部の幅を可変とする機構を有するものでは、軸部６２ａ及びストッパ６８として、夫々、ガイド軸３４及び３６を利用するようにしてもよい。
そして、挿入物６０の幅，粘着テープ２６に対する挿入物６０の挿入位置を変えるには、止め螺子６２ｅを弛めて、ガイド部材６２Ｌ，６２Ｒを所定の位置まで夫々摺動移動させ、その位置で止め螺子６２ｅを再度締め込むようにすればよい。また、挿入物６０の挿入位置からガイド部材６２Ｌ，６２Ｒを回動させて退避させるようにすれば、ガイド部材６２Ｌ，６２Ｒが邪魔にならず、粘着テープの着脱を容易に行うことができる。
【００５８】
基体部材１０には、ロール状に巻き形成された挿入物（以下「ロール挿入物」という）７０を回転自由に保持するロールホルダ７２を取り付けるようにしてもよい。
即ち、図２２に示すように、基体部材１０の一端部に、薄板からなる連結部材７２ａが固定される。連結部材７２ａは、基体部材１０に対して着脱可能となるように、例えば、螺子７２ｂで締結固定されることが望ましい。一方、連結部材７２ａの先端部には、ロール挿入物７０を回転自由に保持する保持部材７４を嵌合すべく、軸部材１２方向に向かって延びる切欠部７２ｃが形成される。保持部材７４は、切欠部７２ｃに摺動自由に嵌合する嵌合部７４ａと、ロール挿入物７０が嵌合される小径部７４ｂと、ロール挿入物７０が容易に外れないようにする大径部７４ｃと、を含んで構成される。なお、大径部７４ｃの先端には、ロール挿入物７０の着脱を可能とするスリット７４ｄがその軸方向に形成される。
【００５９】
ロール挿入物７０を連続して挿入するには、保持部材７４の大径部７４ｃに対してロール挿入物７０を押し付けると、スリット７４ｄの幅の分だけ大径部７４ｃが弾性変形し、その小径部７４ｂにロール挿入物７０が嵌合される。そして、保持部材７４の嵌合部７４ａを連結部材７２ａの切欠部７２ｃに嵌合させつつ、ロール挿入物７０の自由端を挿入物ガイド６２へと導き、その自由端を粘着テープ２６の粘着面に貼り付けた後、粘着テープ２６外周面とロール挿入物７０外周面とを接触させる。その後、粘着テープ２６の自由端を繰り出すと、粘着テープ２６の繰り出しに伴ってロール挿入物７０が繰り出され、折返部２６ａにロール挿入物７０が連続して挿入される。このとき、粘着テープ２６外周面とロール挿入物７０外周面とが接触しているので、粘着テープ２６とロール挿入物７０とが同一長さ引き出されることで、粘着テープ２６の引出量ΔＬとロール挿入物７０の引出量ΔＬ’とが等しくなり、ロール挿入物７０が円滑に供給される。
【００６０】
以上説明した折返部形成装置によれば、粘着テープの幅方向の少なくとも一端部に粘着に寄与しない折返部が容易に形成される。このため、例えば、セロファン，ガラスなどの平滑な被接着物に粘着テープが貼られた場合でも、その端面を極めて容易に見つけることができ、そこから粘着テープを容易に剥離させることができる。
【００６１】
また、粘着テープとしてバックシーラーを用い、野菜などを入れたビニール袋を閉じるようにすれば、その開封が容易になると共に、ビニール袋の再利用が可能となる。このとき、バックシーラーの折返部に挿入した挿入物に、生産者名，価格，バーコード，生産日等の情報を記載しておけば、製品情報を明確にすることができる。
【００６２】
【発明の効果】
以上説明したように、請求項１又は請求項４に記載の発明によれば、粘着テープの少なくとも一端部には、その自由端を繰り出す力を利用して折曲部が形成されるため、動力源が不要な堅牢かつコンパクトな折返部形成装置とすることができる。このため、店舗の改装工事などで高所作業を行う場合や、家庭や学校などで小規模に粘着テープを利用する場合であっても、その幅方向の少なくとも一端部に接着に寄与しない折返部が形成された粘着テープを使用することができ、被接着物から粘着テープを容易に剥離させることができる。
【００６３】
このとき、粘着テープの幅方向の移動が高精度に規制されることで、折返部の幅を略一定とすることができる。また、粘着テープが装着された折返部形成装置をそのままディスペンサーに取り付けることができるため、粘着テープの繰り出し及び切断が容易となり、その貼り付け作業に要する労力を一層軽減させることができる。
【００６４】
請求項２記載の発明によれば、折曲部の幅を任意に変更することができる。
請求項３記載の発明によれば、異なる幅を有する粘着テープが使用可能となり、汎用性を付与させることができる。
請求項５記載の発明によれば、粘着テープの繰り出しにおける接触抵抗を低減させることができる。
【００６５】
請求項６記載の発明によれば、粘着テープとの接着力が低下し、粘着テープの繰り出しに要する力を低減させることができる。
請求項７記載の発明によれば、折返部形成装置に粘着テープを装着又は取り外すときに、折返ガイドが邪魔になることがなく、粘着テープの着脱を容易に行うことができる。
【００６６】
請求項８記載の発明によれば、粘着テープの折返部の幅が広いときであっても、折返部にしわが発生することを抑制することができる。
請求項９記載の発明によれば、折返部形成装置を単独で使用するときであっても、カッタにより粘着テープの切断を容易に行うことができ、粘着テープの貼付作業効率を向上させることができる。
【００６７】
請求項１０記載の発明によれば、安全性を向上させることができる。
請求項１１記載の発明によれば、ユーザの多様な要望に対応できる。
請求項１２記載の発明によれば、折返部形成装置に粘着テープを着脱するときに、挿入物ガイドが邪魔になることなく、粘着テープの着脱を容易に行うことができる。
【図面の簡単な説明】
【図１】本発明の基本原理を示し、（Ａ）は折曲ローラによる作用の説明図、（Ｂ）は折返ガイドによる作用の説明図
【図２】本発明に係る折返部形成装置の第１基本構成を示す斜視図
【図３】折曲ローラの詳細図
【図４】粘着テープの装着方法の説明図
【図５】粘着テープの巻き掛け方法の説明図
【図６】粘着テープの装着完了状態を示し、（Ａ）は平面図、（Ｂ）は正面図
【図７】折返部形成装置をディスペンサーに取り付けた状態の説明図
【図８】粘着テープの折返部の幅が狭いときに使用する折返ガイドを示し、（Ａ）は斜視図、（Ｂ）は正面図
【図９】粘着テープの折返部の幅が広いときに使用する折返ガイドを示し、（Ａ）は斜視図、（Ｂ）は正面図
【図１０】粘着テープの折返部の幅を可変とする機構を示し、（Ａ）は斜視図、（Ｂ）は側面図
【図１１】第１ガイドローラの小径部の長さを可変とする第１実施例を示し、（Ａ）は斜視図、（Ｂ）は側面図
【図１２】第１ガイドローラの小径部の長さを可変とする第２実施例を示し、（Ａ）は斜視図、（Ｂ）はその側面図、（Ｃ）は軸部の変形例の斜視図、（Ｄ）はその要部断面図
【図１３】第１ガイドローラの小径部の長さを可変とする第３実施例を示す側面図
【図１４】本発明に係る折返部形成装置の第２基本構成を示し、（Ａ）は斜視図、（Ｂ）は構成図、（Ｃ）は断面図
【図１５】同上における折曲ガイドの詳細を示し、（Ａ）は斜視図、（Ｂ）は使用方法の説明図、（Ｃ）は構成図
【図１６】粘着テープのカッタを示し、（Ａ）は正面図、（Ｂ）は収納状態と使用状態の説明図、（Ｃ）はカッタの構成図、（Ｄ）は収納状態と使用状態との切換方法の説明図
【図１７】折返部形成装置の一使用例の説明図
【図１８】粘着テープの折返部に挿入される挿入物の一例を示し、（Ａ）〜（Ｄ）は夫々バーコード，文字が描かれた紙片，針金及びミシン目が形成された紙片が挿入された粘着テープの説明図
【図１９】粘着テープの折返部に挿入された挿入物の一例を示し、（Ａ）は短冊状の挿入物、（Ｂ）は針金の挿入状態の説明図
【図２０】挿入物ガイドの斜視図
【図２１】挿入物ガイドの詳細を示し、（Ａ）は平面図、（Ｂ）は要部拡大図、（Ｃ）は軸部の固定方法の説明図
【図２２】ロールホルダを示し、（Ａ）は正面図、（Ｂ）は要部拡大図、（Ｃ）は斜視図、（Ｄ）はロール挿入物の取付構造の説明図
【符号の説明】
Ａ      ガイドローラ
Ｂ      ガイドローラ
Ｃ      折曲ローラ
Ｄ      粘着テープ
ｄ      折返部
Ｅ      折返ガイド
１２    軸部材
１４    第１ガイドローラ
１６    第２ガイドローラ
１８    折曲ローラ
１８ａ  隆起部
２０    折返ガイド
２０ｄ  補助ガイド
２２    付勢部材
２６    粘着テープ
３０    粘着テープディスペンサー
３０ａ  溝部
４８    折曲ローラ
５０    折返ガイド
６２    挿入物ガイド
【図１】
0003549512.tif 000002
【図２】
0003549512.tif 000003
【図３】
0003549512.tif 000004
【図４】
0003549512.tif 000005
【図５】
0003549512.tif 000006
【図６】
0003549512.tif 000007
【図７】
0003549512.tif 000008
【図８】
0003549512.tif 000009
【図９】
0003549512.tif 000010
【図１０】
0003549512.tif 000011
【図１１】
0003549512.tif 000012
【図１２】
0003549512.tif 000013
【図１３】
0003549512.tif 000014
【図１４】
0003549512.tif 000015
【図１５】
0003549512.tif 000016
【図１６】
0003549512.tif 000017
【図１７】
0003549512.tif 000018
【図１８】
0003549512.tif 000019
【図１９】
0003549512.tif 000020
【図２０】
0003549512.tif 000021
【図２１】
0003549512.tif 000022
【図２２】
0003549512.tif 000023